(57)【要約】      （修正有）【課題】トライアックによる位相制御ＬＥＤ照明装置において、消費電力を抑制する。【解決手段】ＬＥＤ照明システムは、整流されたＡＣ電圧によって駆動される発光部１５０と、システム電流のデューティサイクルを調整するよう構成されるディマースイッチ１２０と、ブリーダー回路１４０とを含む。ブリーダー回路は、第１電流源、第２電流源、第３電流源、システム電流に関連した第１フィードバック電圧を供給する電流検知要素ＲＣＳ、キャパシタＣＰＤ及び制御部４０を含む。制御部は、システム電流が所定の閾値を超えるときにキャパシタを充電するために第１電流源を作動させ、第２電流源を停止させ、システム電流が所定の閾値を超えないときにキャパシタを放電するために第１電流源を停止させ、第２電流源を作動させ、キャパシタの両端に確立される第２フィードバック電圧に従ってブリーダー回路に供給することを中止するよう第３電流源を停止させる。【選択図】図４
2019194967.tif 000002
【特許請求の範囲】
【請求項１】
発光ダイオード（ＬＥＤ）照明システムであって、
整流された交流（ＡＣ）電圧によって駆動される発光部と、
ブリーダー回路と
を有し、
前記ブリーダー回路は、
充電電流を供給するよう構成される第１電流源と、
放電電流を供給するよう構成される第２電流源と、
ブリーダー電流を供給するよう構成される第３電流源と、
システム電流のレベルに関連した第１フィードバック電圧を供給する電流検知要素と、
キャパシタと、
制御部と
を有し、
前記制御部は、
前記第１フィードバック電圧に従って前記システム電流が所定の閾値を超えるときに前記キャパシタを充電するために前記第１電流源を作動させ、前記第２電流源を停止させ、
前記第１フィードバック電圧に従って前記システム電流が前記所定の閾値を超えないときに前記キャパシタを放電するために前記第１電流源を停止させ、前記第２電流源を作動させ、
前記キャパシタの両端に確立される第２フィードバック電圧に従って前記ブリーダー回路に供給することを中止するよう前記第３電流源を停止させる
よう構成される、
ＬＥＤ照明システム。
【請求項２】
前記制御部は、
前記第２フィードバック電圧が上位閾電圧を超えるときに前記ブリーダー電流を供給することを中止し、
前記上位閾電圧よりも大きい上限電圧で前記第２フィードバック電圧をクランプする
よう更に構成される、
請求項１に記載のＬＥＤ照明システム。
【請求項３】
前記制御部は、
前記システム電流がディマースイッチの最低保持電流よりも低いときに前記ブリーダー電流を供給するために前記第３電流源を作動させる
よう更に構成される、
請求項１に記載のＬＥＤ照明システム。
【請求項４】
前記システム電流のデューティサイクルは、ディマースイッチが機能していないときに値Ｄ１に等しく、
前記ディマースイッチは、機能しているときに調光入力信号に従って前記システム電流のデューティサイクルを値Ｄ２に調整するよう更に構成され、
Ｄ２はＤ１よりも小さい、
請求項１に記載のＬＥＤ照明システム。
【請求項５】
前記充電電流は、値ＩＰＤ１に等しく、
前記放電電流は、値ＩＰＤ２に等しく、
ＩＰＤ１×Ｄ１は、前記ディマースイッチが機能していないときにＩＰＤ２×（１−Ｄ１）よりも大きく、
ＩＰＤ１×Ｄ２は、前記ディマースイッチが機能しているときにＩＰＤ２×（１−Ｄ２）以下である、
請求項４に記載のＬＥＤ照明システム。
【請求項６】
ディマースイッチは、前記整流されたＡＣ電圧を位相変調し、それによって前記システム電流のデューティサイクルを調整するよう構成されるＴＲＩＡＣ（TRIode  for  Alternative  Current）デバイスを有する、
請求項１に記載のＬＥＤ照明システム。
【請求項７】
システム電流のデューティサイクルを調整することによって、前記発光部によって出力される光の量を制御するよう構成されるディマースイッチを更に有し、
前記ディマースイッチの動作は、前記ブリーダー電流によって維持される、
請求項１に記載のＬＥＤ照明システム。
【発明の詳細な説明】
【技術分野】
【０００１】
本発明は、ＬＥＤ照明システムに関係があり、より具体的には、自動のブリーダー回路制御を備えた調光可能なＬＥＤ照明システムに関係がある。
【背景技術】
【０００２】
調光可能なＬＥＤ照明システムは、しばしば、ディマースイッチを使用する。ディマースイッチは、ＴＲＩＡＣ（TRIode  for  Alternative  Current）デバイスを用いて、ＴＲＩＡＣに供給される交流（ＡＣ）電圧の特定の周期の間にのみ導通することによって、ＬＥＤランプに送られる電力を調整する。ＢＪＴ又はＭＯＳＦＥＴのような他のスイッチング素子とは違って、ＴＲＩＡＣは、それが給電されると（フォワード電流ＩＦがラッチング電流ＩＬを超えた後に）ラッチオンし、フォワード電流ＩＦが最低保持電流ＩＨを下回るまで導通し続ける。ＴＲＩＡＣを導通状態に保つよう、最低保持電流ＩＨがＴＲＩＡＣへ供給される必要がある。ターンオン時に、ＬＥＤ負荷は比較的に高いインピーダンスを示すので、入力電流は、ディマースイッチ内のＴＲＩＡＣをラッチするには十分でないことがある。ＴＲＩＡＣを流れる電流が最低保持電流ＩＨに満たない場合に、ＴＲＩＡＣはリセットし、ディマースイッチを途中でオフする。結果として、ＬＥＤランプは、それがオンであるべきときに途中でオフされる可能性がある。これは、認知できる光フリッカ又は完全な故障をＬＥＤ照明システムにおいて生じさせることがある。
【０００３】
従って、ブリーダー回路が、電圧管理及び、ディマースイッチが途中でオフすることの防止のために、ブリーダー電流を供給するよう使用される。しかし、ＬＥＤ照明システムの調光機能が作動されないときに、ブリーダー電流の不必要な供給は、余分の電力消費がかかる。
【先行技術文献】
【特許文献】
【０００４】
【特許文献１】中国特許出願公開第１０６９１２１４４号明細書
【特許文献２】中国特許出願公開第１０６８８８５２４号明細書
【発明の概要】
【０００５】
本発明は、発光部及びブリーダー回路を含むＬＥＤ照明システムを提供する。発光部は、整流されたＡＣ電圧によって駆動される。ブリーダー回路は、充電電流を供給するよう構成される第１電流源と、放電電流を供給するよう構成される第２電流源と、ブリーダー電流を供給するよう構成される第３電流源と、システム電流のレベルに関連した第１フィードバック電圧を供給する電流検知要素と、キャパシタと、制御部とを含む。制御部は、第１フィードバック電圧に従ってシステム電流が所定の閾値を超えるときにキャパシタを充電するために第１電流源を作動させ、第２電流源を停止させ、第１フィードバック電圧に従ってシステム電流が所定の閾値を超えないときにキャパシタを放電するために第１電流源を停止させ、第２電流源を作動させ、キャパシタの両端に確立される第２フィードバック電圧に従ってブリーダー電流を供給することを中止するよう第３電流源を停止させるよう構成される。
【０００６】
本発明のそれら及び他の目的は、様々な図及び図面で説明されている好適な実施形態の以下の詳細な説明を読んだ後に、きっと当業者に明らかになるだろう。
【図面の簡単な説明】
【０００７】
【図１】本発明の実施形態に従う調光可能なＬＥＤ照明システムの機能図である。
【図２】本発明の実施形態に従うＬＥＤ照明システムに含まれるディマースイッチを説明する図である。
【図３】本発明の実施形態に従うＬＥＤ照明システムに含まれるディマースイッチの動作を説明する図である。
【図４】本発明の実施形態に従うＬＥＤ照明システムに含まれるブリーダー回路を説明する図である。
【図５】本発明の実施形態に従って、ディマースイッチが機能していないときのＬＥＤ照明システムの電流／電圧特性を説明する図である。
【図６】本発明の実施形態に従って、ディマースイッチが機能していないときのＬＥＤ照明システムの電流／電圧特性を説明する図である。
【図７】本発明の実施形態に従って、ディマースイッチが機能していないときのＬＥＤ照明システムの電流／電圧特性を説明する図である。
【図８】本発明の実施形態に従って、ディマースイッチが機能しておらず、且つ、キャパシタのキャパシタンスが閾値よりも小さいときのＬＥＤ照明システムの電流／電圧特性を説明する図である。
【図９】本発明の実施形態に従って、ディマースイッチが機能しておらず、且つ、キャパシタのキャパシタンスが閾値よりも小さいときのＬＥＤ照明システムの電流／電圧特性を説明する図である。
【図１０】本発明の実施形態に従って、ディマースイッチが機能しているときのＬＥＤ照明システムの電流／電圧特性を説明する図である。
【図１１】本発明の実施形態に従って、ディマースイッチが機能しているときのＬＥＤ照明システムの電流／電圧特性を説明する図である。
【図１２】本発明の実施形態に従って、ディマースイッチが機能しているときのＬＥＤ照明システムの電流／電圧特性を説明する図である。
【図１３】本発明の実施形態に従って、ディマースイッチが機能しているときのＬＥＤ照明システムの電流／電圧特性を説明する図である。
【発明を実施するための形態】
【０００８】
図１は、本発明の実施形態に従う調光可能なＬＥＤ照明システム１００の機能図である。ＬＥＤ照明システム１００は、電源回路１１０、ディマースイッチ１２０、整流回路１３０、ブリーダー回路１４０、及び発光部１５０を含む。
【０００９】
電源回路１１０は、交流（ＡＣ）幹線であってよく、正及び負の周期を有するＡＣ電圧ＶＳを供給する。整流回路１３０は、ＡＣ電圧ＶＳを、整流されたＡＣ電圧ＶＡＣに変換するブリッジ整流器を含んでよい。整流されたＡＣ電圧ＶＡＣは、その値が時間とともに周期的に変化する。なお、電源回路１１０及び整流回路１３０の構成は本発明の適用範囲を制限しない。
【００１０】
発光部１５０は、１つ又は複数の発光素子と、ドライバとを含む。発光素子の夫々は、単一のＬＥＤ又は直列結合された複数のＬＥＤを採用してよい。各ＬＥＤは、単接合ＬＥＤ、多重接合高電圧（ＨＶ）ＬＥＤ、又は同様の機能を有する他のデバイスであってよい。なお、発光素子のタイプ及び構成は、本発明の適用範囲を制限しない。
【００１１】
図２は、本発明の実施形態に従うＬＥＤ照明システム１００に含まれるディマースイッチ１２０を説明する図である。図３は、本発明の実施形態に従うＬＥＤ照明システム１００に含まれるディマースイッチ１２０の動作を説明する図である。ディマースイッチ１２０は、整流された電圧ＶＡＣのデューティサイクルを調整し、それによってＬＥＤ照明システム１００を流れるシステム電流ＩＳＹＳのデューティサイクルを調整するよう電源回路１１０を位相変調することによって、発光部１５０によって出力される光の量（すなわち、強さ）を制御するよう構成される。ディマースイッチ１２０が機能していないとき、整流回路１３０に供給される電圧ＶＤＩＭは、電源回路１１０によって供給されるＡＣ電圧ＶＳに等しく、ディマースイッチ１２０が機能しているとき、整流回路１３０に供給される電圧ＶＤＩＭは、調光入力信号ＳＤＩＭＭＥＲに従ってＡＣ電圧ＶＳを位相変調することによって供給される。
【００１２】
図２で説明されている実施形態では、ディマースイッチ１２０は、ＴＲＩＡＣデバイス２２、ＤＩＡＣ（DIode  for  Alternative  Current）デバイス２４、可変抵抗２６、及びキャパシタ２８を含むフェーズカットディマーである。ＴＲＩＡＣデバイス２２及びＤＩＡＣデバイス２４は、オンされる（すなわち、トリガされる）場合にいずれの方向でも電流を導くことができる双方向スイッチング素子である。可変抵抗２６及びキャパシタ２８は、ＡＣ電圧ＶＳに対して抵抗−キャパシタ（ＲＣ）時間遅延を有するトリガ電圧ＶＧを供給する。図３で表されているように、周期のターンオフ期間ＴＯＦＦの間、トリガ電圧ＶＧは、ＴＲＩＡＣデバイス２２をオンするには不十分であり、それによって整流回路１３０からＡＣ電圧ＶＳをカットオフする（ＶＤＩＭ＝０）。トリガ電圧ＶＧがＴＲＩＡＣデバイス２２の閾電圧を超えるサイクルのターンオン期間ＴＯＮの間、ＴＲＩＡＣデバイス２２はオンされ、システム電流ＩＳＹＳを導く。システム電流ＩＳＹＳがＴＲＩＡＣデバイス２２の最低保持電流を上回って保たれる限り、ＡＣ電圧ＶＳは整流回路１３０へ供給され得る（ＶＤＩＭの波形はＶＡＣの波形に従う。）。
【００１３】
ＬＥＤ照明システム１００において、ディマースイッチ１２０は、ディマースイッチ１２０に印加される調光入力信号ＳＤＩＭＭＥＲの値に基づき、電源回路１１０によって供給されるＡＣ電圧ＶＳに適用される調整の量を決定する。いくつかの実施において、調光入力信号ＳＤＩＭＭＥＲは、ノブ、スライダスイッチ、又は可変な調整設定範囲を有している調整信号を供給することが可能な他の適切な電気的若しくは機械的なデバイスによって生成されたアナログ信号である。他の実施では、調光入力信号ＳＤＩＭＭＥＲはデジタル信号である。なお、調光入力信号ＳＤＩＭＭＥＲの実施は、本発明の適用範囲を制限しない。
【００１４】
図２で説明されている実施形態では、可変抵抗２６の値は、ＡＣ電圧ＶＳに対するトリガ電圧ＶＧのＲＣ時間遅延を変更し、それによって電圧ＶＤＩＭのターンオフ期間ＴＯＦＦ及びターンオン期間ＴＯＮの長さを調整するために、調光入力信号ＳＤＩＭＭＥＲに従って調整される。発光部１５０の光出力強度は、電圧ＶＤＩＭに関連した値を有している整流された電圧ＶＡＣに実質的に比例するので、発光部１５０を流れるシステム電流ＩＳＹＳは、認知できるフリッカなしで調光入力信号ＳＤＩＭＭＥＲに応答して、発光部１５０から出力される光強度レベルにおいて滑らかな遷移を提供する調整された様態で制御され得る。
【００１５】
図４は、本発明の実施形態に従うＬＥＤ照明システム１００に含まれるブリーダー回路１４０を説明する図である。ブリーダー回路１４０は、３つの電流源Ｉ０〜Ｉ２、電流検知要素ＲＣＳ、キャパシタＣＰＤ、及び制御部４０を含む。電源投入後、システム電流ＩＳＹＳのレベルは、電流検知要素ＲＣＳの両端に確立されるフィードバック電圧ＶＦＢ１に従って、モニタされてよい。実施形態において、電流検知要素ＲＣＳは抵抗器であってよいが、電流検知要素ＲＣＳの実施は、本発明の適用範囲を制限しない。
【００１６】
整流されたＡＣ電圧ＶＡＣが発光部１５０をオンするには不十分であるとき、発光部１５０を流れる電流ＩＬＥＤは実質的にゼロである。斯様な状況下で、制御部４０は、電流源Ｉ０を作動させてブリーダー電流ＩＢＬを供給するよう構成される。それにより、システム電流ＩＳＹＳは、ディマースイッチ１２０に含まれるＴＲＩＡＣデバイス２２（図４には図示せず。）の最低保持電流を上回って保たれ得る。整流されたＡＣ電圧ＶＡＣが発光部１５０をオンすることができるほど十分に大きいとき、発光部１５０は導通し始め、電流ＩＬＥＤは、整流されたＡＣ電圧ＶＡＣとともに変化する。発光部１５０を流れる電流ＩＬＥＤがシステム電流ＩＳＹＳに達すると、電流ＩＬＥＤは、発光部１５０のドライバ（図４では番号５５によって示されている。）によって調整され、一定レベルに保たれる。発光部１５０を流れる電流ＩＬＥＤが、ディマースイッチ１２０に含まれるＴＲＩＡＣデバイス２２の最低保持電流を超えると、電流ＩＬＥＤは、ディマースイッチ１２０の安定した動作を維持するのに十分である。斯様な状況下で、制御部４０は、電流源Ｉ０を停止させてブリーダー電流ＩＢＬの供給を中止するよう構成される。他の実施形態では、電流源Ｉ０は、発光部１５０を流れる電流ＩＬＥＤに従ってブリーダー電流ＩＢＬを調整するよう構成されてよい。それにより、（ＩＢＬ＋ＩＬＥＤ）は、ディマースイッチ１２０の安定した動作を維持するのに十分であることができる。
【００１７】
一方で、システム電流ＩＳＹＳが所定の閾値ＩＴＨに達したことをフィードバック電圧ＶＦＢ１が示す場合には、制御部４０は、キャパシタＣＰＤを充電するために、電流源Ｉ１を作動させ、電流源Ｉ２を停止させるよう構成される。システム電流ＩＳＹＳが所定の閾値ＩＴＨを超えないことをフィードバック電圧ＶＦＢ１が示す場合には、制御部４０は、キャパシタＣＰＤを放電するために、電流源Ｉ１を停止させ、電流源Ｉ２を作動させるよう構成される。
【００１８】
図５〜７は、本発明の実施形態に従って、ディマースイッチ１２０が機能していないときのＬＥＤ照明システム１００の電流／電圧特性を説明する図である。図５は、整流されたＡＣ電圧ＶＡＣの複数の周期の間の整流されたＡＣ電圧ＶＡＣ、システム電流ＩＳＹＳ、及びフィードバック電圧ＶＦＢ２の波形を表す。図６は、整流されたＡＣ電圧ＶＡＣの最初のｎ個の周期Ｔ１〜Ｔｎ（ｎは正の整数である。）のうちの１つの間の整流されたＡＣ電圧ＶＡＣ、システム電流ＩＳＹＳ、充電電流ＩＰＤ１、及び放電電流ＩＰＤ２の拡大された波形を表す。図７は、整流されたＡＣ電圧ＶＡＣの周期Ｔｎの後の周期のうちの１つの間の整流されたＡＣ電圧ＶＡＣ、システム電流ＩＳＹＳ、充電電流ＩＰＤ１、及び放電電流ＩＰＤ２の拡大された波形を表す。
【００１９】
機能してないディマースイッチ１２０を有しているＬＥＤ照明システム１００では、システム電流ＩＳＹＳのデューティサイクルＤ１（ＩＳＹＳ＞ＩＴＨの場合の期間）は、図６及び７に表されているように、通常は９５％よりも大きい。図５において、キャパシタＣＰＤの両端に確立されるフィードバック電圧ＶＦＢ２は、整流されたＡＣ電圧ＶＡＣの最初のｎ個の周期Ｔ１〜Ｔｎの間はジグザグ波形を有しており、立ち上がり区間はキャパシタＣＰＤの充電期間に相当し、立ち下がり区間はキャパシタＣＰＤの放電期間に相当する。キャパシタＣＰＤの充電エネルギＩＰＤ１×Ｄ１がキャパシタＣＰＤの放電エネルギＩＰＤ２×（１−Ｄ１）よりも大きくなるように電流源Ｉ１及びＩ２の値を設定することによって、キャパシタＣＰＤの両端に確立されるフィードバック電圧ＶＦＢ２は、図５に表されているように、漸進的に増大する。フィードバック電圧ＶＦＢ２が周期Ｔｎの間に上位閾電圧ＶＨに達するとき、図５に表されているように、制御部４０は、ＶＨよりも大きい上限電圧ＶＭＡＸにフィードバック電圧ＶＦＢ２をクランプし、そして、周期Ｔｎの後の周期の間にブリーダー電流を供給することを中止するために電流源Ｉ０を停止させるよう構成される。従って、システム電流ＩＳＹＳは、調光機能が必要とされないときに低減され得、それによって、ＬＥＤ照明システム１００の電力消費を減らす。
【００２０】
図８及び９は、本発明の実施形態に従って、ディマースイッチ１２０が機能しておらず、且つ、キャパシタＣＰＤのキャパシタンスが閾値よりも小さいときのＬＥＤ照明システム１００の電流／電圧特性を説明する図である。キャパシタＣＰＤのキャパシタンスが閾値よりも小さくない場合には、フィードバック電圧ＶＦＢ２は、ｎ＞１の場合に図５で表されたように、ブリーダー電流ＩＢＬを無効にするために上限電圧ＶＭＡＸまで増大するよういくつかのＶＡＣ周期を必要とし得る。キャパシタＣＰＤのキャパシタンスが閾値よりも小さい場合には、フィードバック電圧ＶＦＢ２は、上限電圧ＶＭＡＸまで増大するのに１ＶＡＣ周期しか必要としない。図８は、キャパシタＣＰＤのキャパシタンスが閾値よりも小さい第１の値に等しい場合に、整流されたＡＣ電圧ＶＡＣの各周期の間の整流されたＡＣ電圧ＶＡＣ、システム電流ＩＳＹＳ及びフィードバック電圧ＶＦＢ２の拡大された波形を表す。図９は、キャパシタＣＰＤのキャパシタンスが閾値よりも小さい第２の値に等しい場合に、整流されたＡＣ電圧ＶＡＣの各周期の間の整流されたＡＣ電圧ＶＡＣ、システム電流ＩＳＹＳ及びフィードバック電圧ＶＦＢ２の拡大された波形を表す。ここで、第２の値は、第１の値よりもずっと小さい。図８及び９から明らかなように、キャパシタＣＰＤのキャパシタンスが閾値よりも小さい場合に、いつブリーダー電流ＩＢＬを無効にすべきかを決定するためのフィードバック電圧ＶＦＢ２の検出は、整流されたＡＣ電圧ＶＡＣの各周期の間に実行される。ブリーダー電流ＩＢＬは、整流されたＡＣ電圧ＶＡＣの少なくとも立ち下がりの間無効にされ、それによって効率を改善する。
【００２１】
図１０及び１１は、本発明の実施形態に従って、ディマースイッチ１２０が機能しているときのＬＥＤ照明システム１００の電流／電圧特性を説明する図である。図１０は、整流されたＡＣ電圧ＶＡＣの複数の周期の間のＬＥＤ照明システム１００の電流／電圧特性を表す。図１１は、整流されたＡＣ電圧ＶＡＣの１周期の間の整流されたＡＣ電圧ＶＡＣ、システム電流ＩＳＹＳ、充電電流ＩＰＤ１、及び放電電流ＩＰＤ２の拡大された波形を表す。
【００２２】
ディマースイッチ１２０が機能している場合にＬＥＤ照明システム１００では、システム電流ＩＳＹＳのデューティサイクルＤ２（ＩＳＹＳ＞ＩＴＨの場合の期間）は、図１１に表されているように、通常は９０％に満たない。図１０において、フィードバック電圧ＶＦＢ２はジグザグ波形を有しており、立ち上がり区間はキャパシタＣＰＤの充電期間に相当し、立ち下がり区間はキャパシタＣＰＤの放電期間に相当する。充電エネルギＩＰＤ１×Ｄ２がキャパシタＣＰＤの放電エネルギＩＰＤ２×（１−Ｄ２）以下であることを可能にするように電流源Ｉ１及びＩ２の値を設定することによって、キャパシタＣＰＤの両端に確立されるフィードバック電圧ＶＦＢ２は、図１０に表されているように、上位閾電圧ＶＨよりも実質的に低いレベルにとどまる。斯様な状況下で、電流源Ｉ０は、ブリーダー電流ＩＢＬを供給し続ける。従って、ブリーダー電流ＩＢＬは、システム電流ＩＳＹＳがＴＲＩＡＣデバイス２２の最低保持電流を上回って保持されることを確かにし、それによってＬＥＤ照明システム１００においてディマースイッチ１２０の適切な動作を可能にするよう供給され得る。
【００２３】
図１２及び１３は、本発明の実施形態に従って、ディマースイッチ１２０が機能しているときのＬＥＤ照明システム１００の電流／電圧特性を説明する図である。図１２は、ディマースイッチ１２０が第１ディマー位相により動作する場合の実施形態を表し、一方、図１３は、ディマースイッチ１２０が、第１位相よりも小さい第２ディマー位相により動作する場合の実施形態を表す。より大きいディマー位相によれば、ブリーダー電流ＩＢＬは、図１２に表されるように、整流されたＡＣ電圧ＶＡＣの立ち上がりの間に現れる。より小さいディマー位相によれば、ブリーダー電流ＩＢＬは、図１３に表されるように、整流されたＡＣ電圧ＶＡＣの立ち下がりの間に現れ、フィードバック電圧ＶＦＢ２が上限電圧ＶＭＡＸまで増大する限りは無効にされ、それによって、効率を改善する。
【００２４】
上述されたように、キャパシタＣＰＤの総充電時間及び総放電時間は、システム電流ＩＳＹＳのデューティサイクルによって決定される。ＬＥＤ照明システム１００に含まれるディマースイッチ１２０は、それが機能しているかどうかに応じて、システム電流ＩＳＹＳの異なるデューティサイクルをもたらすので、本発明は、キャパシタＣＰＤの両端に確立されるフィードバック電圧ＶＦＢ２をモニタすることによって、ディマー機能のためのブリーダー電流ＩＢＬの供給が必要とされているかどうかを判定することができる。従って、本発明は、必要とされる場合には適切なディマー機能を確保し、ディマー機能が必要とされない場合には電力消費を低減することができる。
【００２５】
本発明の教示を保ちながらデバイス及び方法の多数の変更及び代替が行われ得る点に当業者であれば容易に気付くだろう。然るに、上記の開示は、添付の特許請求の範囲の技術的範囲によってのみ制限されると解釈されるべきである。
【符号の説明】
【００２６】
１００              ＬＥＤ照明システム
１１０              電源回路
１２０              ディマースイッチ
１３０              整流回路
１４０              ブリーダー回路
１５０              発光部
２２                ＴＲＩＡＣデバイス
２４                ＤＩＡＣデバイス
２６                可変抵抗
２８                キャパシタ
４０                制御部
５５                ドライバ
ＣＰＤ              キャパシタ
Ｉ０，Ｉ１，Ｉ２    電流源
ＩＢＬ              ブリーダー電流
ＲＣＳ              電流検知要素
ＶＦＢ１，ＶＦＢ２  フィードバック電圧
【図１】
2019194967.tif 000003
【図２】
2019194967.tif 000004
【図３】
2019194967.tif 000005
【図４】
2019194967.tif 000006
【図５】
2019194967.tif 000007
【図６】
2019194967.tif 000008
【図７】
2019194967.tif 000009
【図８】
2019194967.tif 000010
【図９】
2019194967.tif 000011
【図１０】
2019194967.tif 000012
【図１１】
2019194967.tif 000013
【図１２】
2019194967.tif 000014
【図１３】
2019194967.tif 000015